(57)【特許請求の範囲】
【請求項１】
衣服の背面の内部に設けた熱源と、前記熱源を覆うとともに人体の背部と前記衣服の背面との間に間隙が形成されるように突出させた断熱ケースと、前記断熱ケースに設けた対流通路とを具備し、前記熱源により加熱された前記断熱ケース内の空気を前記対流通路から放出し、人体の背部と衣服の背面との間に形成された間隙を上昇する加熱空気により人体の背部を暖めるようにした暖房衣服。
【請求項２】
熱源を触媒燃焼器で構成し、前記触媒燃焼器は、燃焼用触媒と、前記燃焼用触媒に燃料ガスを供給するガス噴出ノズルと、前記ガス噴出ノズルより噴出した燃料ガスに着火する点火装置を有し、前記触媒燃焼器と燃料タンクの間に弁を設け、前記触媒燃焼器に取り付けた温度検知センサーの信号で前記弁を開閉するようにした請求項１記載の暖房衣服。
【請求項３】
熱源を触媒燃焼器で構成し、前記触媒燃焼器は、燃焼用触媒と、前記燃焼用触媒に燃料ガスを供給するガス噴出ノズルと、前記ガス噴出ノズルより噴出した燃料ガスに着火する点火装置を有し、前記触媒燃焼器と燃料タンクの間に弁を設け、衣服の内部背面に取り付けた温度検知センサーの信号で前記弁を開閉するようにした請求項１記載の暖房衣服。
【請求項４】
熱源を触媒燃焼器で構成し、前記触媒燃焼器は、燃焼用触媒と、前記燃焼用触媒に燃料ガスを供給するガス噴出ノズルと、前記ガス噴出ノズルより噴出した燃料ガスに着火する点火装置を有し、前記触媒燃焼器と燃料タンクの間に弁を設け、断熱ケースと人体の背部の間に取り付けた温度検知センサーの信号で前記弁を開閉するようにした請求項１記載の暖房衣服。
【請求項５】
断熱ケースは、衣服の着衣時に熱源が人体の背部に接触するのを防止する構成とした請求項１記載の暖房衣服。
【請求項６】
対流通路は、断熱ケースの上部と下部に設けた請求項１記載の暖房衣服。
【発明の詳細な説明】
【０００１】
【発明の属する技術分野】
本発明は、動力・ガスの供給が困難な高地・洋上・寒冷地で利用できる暖房衣服に関するものである。
【０００２】
【従来の技術】
従来、暖房衣服は特開昭６１ー２６６６０４号公報に記載されたものが知られている。図１０に従来の暖房服の構造を示す。図において、１は服の一部に設けられた熱源収納部で、熱源収納部１は熱交換部２と熱交換的に接合され、熱伝導部３を経由して熱が伝導するように設け、熱放出部４に熱が循環し放出するように構成されている。服の一部、例えば着用したまま手のとどく位置や、内、外ポケットの位置に熱源収納部１を設け、これに発熱体又は冷熱体を入れる。これには、カイロや化学暖冷熱材等を使用している。熱源収納部１は外部へ熱が容易に放出されないように断熱材でおおったり、アルミ箔等反射材でおおったりし、熱の放出が少なくなるようにしている。熱源収納部１は熱交換部２と熱交換がしやすい状態に結合されており、熱源収納部１と熱交換部２の間に熱の伝わりやすい熱伝導材を用いている。熱交換部２はビニール等の空気パイプを螺旋状にしたり折り曲げたりして熱交換が起こりやすいようにしている。
【０００３】
【発明が解決しようとする課題】
この暖房服においては、熱源収納部１と熱放出部４が離れており、熱源の熱を効率よく暖房に利用しにくく立ち上がりも遅くなる。また、熱源収納部１から熱放出部４に熱を伝導するために熱伝導部３を設ける必要があり、暖房衣類としては、重くて柔軟性が少ないという課題を有するものとなっている。
【０００４】
そこで、本発明は軽量で装着に違和感がなく、すぐ暖かくなる暖房衣服を提供することを目的としている。
【０００５】
【課題を解決するための手段】
本発明は、衣服の背面の内部に熱源を設け、前記熱源により加熱された空気を人体の背部と衣服の背面との間に形成された間隙を上昇させることにより人体の背部を暖めるようにしたもので、軽量で装着に違和感がなく、すぐ暖かくなる暖房衣服が得られる。
【０００６】
【発明の実施の形態】
本発明の請求項１に記載の発明は、衣服の背面の内部に設けた熱源と、前記熱源を覆うとともに人体の背部と前記衣服の背面との間に間隙が形成されるように突出させた断熱ケースと、前記断熱ケースに設けた対流通路とを具備し、前記熱源により加熱された前記断熱ケース内の空気を前記対流通路から放出し、人体の背部と衣服の背面との間に形成された間隙を上昇する加熱空気により人体の背部を暖めるようにしたものであり、軽量で装着時に違和感がなく、人体と熱源の間に形成された間隙の空気を加熱して上昇気流を発生させ人体の背部全体を素早く暖房するという作用を有する。
【０００７】
本発明の請求項２に記載の発明は、請求項１に記載の熱源を触媒燃焼器で構成し、前記触媒燃焼器は、燃焼用触媒と、前記燃焼用触媒に燃料ガスを供給するガス噴出ノズルと、前記ガス噴出ノズルより噴出した燃料ガスに着火する点火装置を有し、前記触媒燃焼器と燃料タンクの間に弁を設け、前記触媒燃焼器に取り付けた温度検知センサーの信号で前記弁を開閉するようにしたものであり、触媒燃焼器の着火、消火を自在にして、時と場所を選ばず欲しいときに暖房でき、燃焼器の温度制御を行って安全に暖房できるという作用を有する。
【０００８】
本発明の請求項３に記載の発明は、請求項１に記載の熱源を触媒燃焼器で構成し、前記触媒燃焼器は、燃焼用触媒と、前記燃焼用触媒に燃料ガスを供給するガス噴出ノズルと、前記ガス噴出ノズルより噴出した燃料ガスに着火する点火装置を有し、前記触媒燃焼器と燃料タンクの間に弁を設け、衣服の内部背面に取り付けた温度検知センサーの信号で前記弁を開閉するようにしたものであり、衣服の内部背面の温度により触媒燃焼器の燃焼量の制御を行って快適に暖房できるという作用を有する。
【０００９】
本発明の請求項４に記載の発明は、請求項１に記載の熱源を触媒燃焼器で構成し、前記触媒燃焼器は、燃焼用触媒と、前記燃焼用触媒に燃料ガスを供給するガス噴出ノズルと、前記ガス噴出ノズルより噴出した燃料ガスに着火する点火装置を有し、前記触媒燃焼器と燃料タンクの間に弁を設け、断熱ケースと人体の背部の間に取り付けた温度検知センサーの信号で前記弁を開閉するようにしたものであり、人体背部の温度により触媒燃焼器の燃焼量の制御を行って快適性を高めるという作用を有する。
【００１０】
本発明の請求項５に記載の発明は、請求項１に記載の断熱ケースは、衣服の着衣時に熱源が人体の背部に接触するのを防止する構成としたものである。
【００１１】
本発明の請求項６に記載の発明は、請求項１に記載の対流通路は、断熱ケースの上部と下部に設けたものである。
【００１２】
（実施の形態１）
以下、本発明の第１の実施の形態について、図１、図２を用いて説明する。図１、図２には暖房衣服の全体構成と熱源部の断面を示す。図において、１１は衣服である。１２は衣服１１の内部背面であり、これには対流通路１３を有する断熱ケース１４で覆われた熱源１５が取り付け部１６を介して接合されている。熱源１５から放熱し易いように取り付け部１６は銅繊維などの高熱伝導繊維を使用しても良い。また、熱源１５はカイロや化学暖熱材でも良く、以下に述べる触媒燃焼器を用いても良い。断熱ケース１４はナイロン等の耐熱性合成樹脂を用い、衣服１１を着たとき人体の背部１７が熱源１５に接触するのを防止する。断熱ケース１４は突出しているので、人体の背部１７と衣服の内部背面１２の間に間隙が形成される。熱源１５が断熱ケース１４内の空気を加熱すると上昇気流が発生し、熱気が対流通路１３より放出され、前記間隙を上昇する。この時、熱気が人体の背部１７を暖房する。このように本実施例は空気を加熱して暖房する構成になっており、取り付け部を放熱性の良い材料を用いることにより、立ち上がりの良好な暖房効果を発揮させている。熱源１５には空気との接触面積を多くして放熱量を増加させるためのフィンを設けると良い。
【００１３】
（実施の形態２）
第２の実施の形態を図３により説明する。図３は、熱源の構成を示している。図において、１８は触媒燃焼器、１９は燃焼用触媒、２０はガス噴出ノズル、２１は放電を利用した点火装置である。２２は燃料タンクで、電磁弁２３を介してガス噴出ノズル２０に燃料ガスを供給している。２４はサーミスタ等の感熱素子を用いた温度検知センサーである。温度検知センサー２４は、触媒燃焼器１８に取り付けられている。温度検知センサー２４の信号により電磁弁２３を開閉するコントローラ２５は、触媒燃焼器１８の温度が１８０℃以上になると電磁弁２３を閉じるように設定されている。２６はニードル弁等の開閉弁である。
【００１４】
開閉弁２６を開いてガス噴出ノズル２０より燃料ガスを噴出させ点火装置２１により着火すると燃焼し火炎が発生する。燃焼の熱で燃焼用触媒１９が加熱され燃焼用触媒１９の温度が、一般に触媒燃焼可能温度２００℃以上になると触媒燃焼が開始する。触媒燃焼の開始により燃焼に使用される燃料ガスが少なくなり、炎が消える。触媒燃焼器１８は温度上昇する。断熱ケース１４内の空気は加熱されて上昇気流が発生する。熱気が対流通路１３より放出され、人体背部１７と衣服の内部背面１２の間の間隙を上昇する。この時、熱気は人体の背部１７を暖房する。触媒燃焼器１８の温度が１８０℃以上になると電磁弁２３が閉じて燃料ガスの供給が止まり、異常温度上昇が防止される。
【００１５】
（実施の形態３）
第３の実施の形態を図４により説明する。図４に、熱源の構成を示す。図において、１８は触媒燃焼器、１９は燃焼用触媒、２０はガス噴出ノズル、２１は放電を利用した点火装置である。２２は燃料タンクで電磁弁２３を介してガス噴出ノズル２０に燃料ガスを供給している。サーミスタ等の感熱素子を用いた温度検知センサー２７は、衣服の内部背面１２に取り付けられている。２５は温度検知センサー２７の信号により電磁弁２３を開閉するコントローラである。コントローラ２５は、衣服の内部背面１２の温度が人体が快適に感じる３２℃近傍になるように、温度検知センサー２７の温度が２７℃〜３７℃の時、電磁弁２３を開閉するように設定されている。２６はニードル弁等の開閉弁である。
【００１６】
開閉弁２６を開いてガス噴出ノズル２０より燃料ガスを噴出させ点火装置２１により着火すると燃焼して火炎が発生する。燃焼の熱で燃焼用触媒１９が加熱され、燃焼用触媒１９の温度が、一般に触媒燃焼可能温度２００℃以上になると触媒燃焼を開始する。触媒燃焼が開始すると、燃焼に使用される燃料ガスが減少し、炎が消える。触媒燃焼器１８は温度上昇する。断熱ケース１４内の空気は加熱されて上昇気流が発生する。熱気は、対流通路１３より放出され人体の背部１７と衣服の内部背面１２の間の間隙を上昇する。この時、熱気は人体の背部１７を暖房する。温度検知センサー２７の温度が３７℃以上になると、温度検知センサー２７の信号によりコントローラ２５は、電磁弁２３を閉じて燃料ガスの供給を止め、温度検知センサー２７の温度が、２７℃以下になるとコントローラ２５が電磁弁２３を開けて燃料ガスの供給を再開して、衣服の内部背面１２の温度が快適な温度３２℃に保持される構成になっている。
【００１７】
（実施の形態４）
第４の実施の形態を図５により説明する。図５に、熱源の構成を示す。図において、１８は触媒燃焼器、２２は燃料タンクで電磁弁２３を介して触媒燃焼器１８に燃料ガスを供給している。サーミスタ等の感熱素子を用いた温度検知センサー２８は、断熱ケース１４と人体の背部１７の間の断熱ケース１４側に取り付けられている。２５は、温度検知センサー２８の信号により電磁弁２３を開閉するコントローラである。コントローラ２５は、人体の背部１７の温度が人体が快適に感じる３２℃近傍になるように、温度検知センサー２８の温度が、３１℃〜３３℃の間で電磁弁２３を開閉するように設定されている。２６はニードル弁等の開閉弁である。
【００１８】
開閉弁２６を開いてガス噴出ノズル２０より燃料ガスを噴出させ点火装置２１により着火すると燃焼し火炎が発生する。燃焼の熱で燃焼用触媒１９が加熱され、燃焼用触媒１９の温度が、一般に触媒燃焼可能温度２００℃以上になると触媒燃焼を開始する。触媒燃焼が開始すると、燃焼に使用される燃料ガスが減少し、炎が消える。触媒燃焼器１８は温度上昇する。断熱ケース１４内の空気は加熱されて上昇気流が発生する。熱気は対流通路１３より放出され、人体の背部１７と衣服の内部背面１２の間の間隙を上昇する。この時、熱気は人体の背部１７を暖房する。温度検知センサー２８の温度が３３℃以上になると、コントローラ２５は、電磁弁２３を閉じて燃料ガスの供給を止め、温度検知センサー２８の温度が３１℃以下になると電磁弁２３を開けて燃料ガスの供給を再開する。このようにして人体背部１７の近傍の温度が、快適な温度３２℃に保持される構成になっている。
【００１９】
（実施の形態５）
第５の実施の形態を図６により説明する。図６に熱源部の断面を示す。図において、１１は衣服である。１２は衣服１１の内部背面であり、これには対流通路１３を有する断熱ケース１４で覆われた熱源１５が取り付け部１６を介して接合されている。熱源１５が放熱し易いように、取り付け部１６は、銅繊維などの高熱伝導繊維を使用しても良い。熱源１５はカイロや化学暖熱材でも良い。断熱ケース１４はナイロン等の耐熱性合成樹脂用いている。断熱ケース１４は、衣服１１を着たとき、人体の背部１７が熱源１５に接触するのを防止する。また、断熱ケース１４は、人体の背部１７と衣服の内部背面１２の間に間隙を形成している。２９は熱源１５の下部に設けられた送風機である。送風機２９は断熱ケース１４の内部に下部の対流通路１３より空気を送り込む。送り込まれた空気は熱源１５から熱を奪い熱気となって上部の対流通路１３より放出され、前記間隙を上昇する。この際、熱気は、人体の背部１７を暖房する。このように強制的に加熱空気を移動させて暖房する構成になっている。
【００２０】
（実施の形態６）
第６の実施の形態を図７により説明する。図７に熱源部の断面を示す。図において、１１は衣服である。１２は衣服１１の内部背面であり、これには、対流通路１３を有する断熱ケース１４で覆われた熱源１５が取り付け部１６を介して接合されている。熱源１５が放熱し易いように取り付け部１６は銅繊維などの高熱伝導繊維を使用しても良い。熱源１５はカイロや化学暖熱材でも良い。断熱ケース１４はナイロン等の耐熱性合成樹脂を用いている。断熱ケース１４は、衣服１１を着たとき、人体の背部１７が熱源１５に接触するのを防止する。また、断熱ケース１４は、人体の背面１７と衣服の内部背面１２の間に間隙を形成している。２９は熱源１５の下部に設けられた送風機である。サーミスタ等の感熱素子を用いた温度検知センサー３０は、断熱ケース１４と人体の背部１７の間の断熱ケース１４側に取り付けられている。３１は温度検知センサー３０の信号により送風機２９の風量を制御するコントローラである。送風機２９は、断熱ケース１４の内部に下部の対流通路１３より空気を送り込む。送り込まれた空気は熱源１５から熱を奪い熱気となって上部の対流通路１３より放出され前記間隙を上昇する。この際、熱気は人体の背部１７を暖房する。暖房開始時は衣服内の温度が低いので送風量を下げて熱気の温度を上げる。暖房が進むと衣服１１内の温度が上昇し、温度検知センサー３０の温度が３３℃以上になると送風量を上げ熱気の温度を下げて、衣服１１の内部の温度が快適な温度に保持される構成になっている。
【００２１】
（実施の形態７）
第７の実施の形態を図８、９により説明する。図８、図９に暖房服の全体構成と熱源部の断面を示す。図において、１１は衣服である。１２は衣服１１の内部背面であり、これには、対流通路１３を有する断熱ケース１４で覆われた熱源１５が熱放出部３２を介して接合されている。熱放出部３２は熱源１５から熱を伝導し易いように銅繊維などの高熱伝導繊維を使用しても良い。熱放出部３２は衣服の前面３３まで設けられている。断熱ケース１４はナイロン等の耐熱性合成樹脂を用いている。断熱ケース１４は、衣服１１を着たとき人体の背部１７が熱源１５に接触するのを防止する。また、断熱ケース１４突出しており、人体の背部１７と衣服の内部背面１２の間に間隙を形成している。熱源１５により断熱ケース１４内の空気は加熱され、上昇気流が発生する。熱気は対流通路１３より放出され前記間隙を上昇する。この際、熱気は、人体の背部１７を暖房する。一方熱放出部３２は熱源１５の熱を衣服の前面３３まで伝導し、人体の前面も暖房する。このように、対流と伝導で人体全体を暖房する構成になっている。
【００２２】
【発明の効果】
以上のように本発明の暖房衣服は、衣服の背面の内部に設けた熱源と、前記熱源を覆うとともに人体の背部と前記衣服の背面との間に間隙が形成されるように突出させた断熱ケースと、前記断熱ケースに設けた対流通路とを具備し、前記熱源により加熱された前記断熱ケース内の空気を前記対流通路から放出し、人体の背部と衣服の背面との間に形成された間隙を上昇する加熱空気により人体の背部を暖めるようにしたから、軽量で装着時に違和感がなく、熱源により加熱された空気の上昇気流で人体の背部を素早く暖房することができる。
【図面の簡単な説明】
【図１】  本発明の第１の実施の形態による暖房衣服の斜視図
【図２】  本発明の第１の実施の形態による暖房衣服の熱源の断面図
【図３】  本発明の第２の実施の形態による暖房衣服の熱源の正面図
【図４】  本発明の第３の実施の形態による暖房衣服の熱源の正面図
【図５】  本発明の第４の実施の形態による暖房衣服の熱源の断面図
【図６】  本発明の第５の実施の形態による暖房衣服の熱源の断面図
【図７】  本発明の第６の実施の形態による暖房衣服の熱源の断面図
【図８】  本発明の第６の実施の形態による暖房衣服の斜視図
【図９】  本発明の第７の実施の形態による暖房衣服の熱源の断面図
【図１０】  従来の暖房衣服の正面図
【符号の説明】
１１  衣服
１２  衣服の内部背面
１３  対流通路発熱室
１４  断熱ケース
１５  熱源
１７  人体の背部
１８  触媒燃焼器
２２  燃料タンク
２３  電磁弁
２４、２７、２８、３０  温度検知センサー
２９  送風機
３２  熱放出部
３３  衣服の前面
【図１】
0003684637.tif 000002
【図２】
0003684637.tif 000003
【図３】
0003684637.tif 000004
【図４】
0003684637.tif 000005
【図５】
0003684637.tif 000006
【図６】
0003684637.tif 000007
【図７】
0003684637.tif 000008
【図８】
0003684637.tif 000009
【図９】
0003684637.tif 000010
【図１０】
0003684637.tif 000011